(57)【要約】【課題】大きな記憶容量を必要とせず、コンパクトな音声付画像記録装置を提供する。【解決手段】ディジタルカメラ（音声付画像記録装置）に、音声を音声信号に変換し、音声データとしてＳＤＲＡＭ１０３（保持手段）に保持する音声記録回路（録音手段）１１５ａと、個別に撮影された複数の画像データを合成して１つの静止画として格納するメモリカード（記憶手段）と、メモリカードに格納されている静止画を表示態様を選択してＬＣＤモニタ（画像表示手段）１０に表示する表示態様選択手段と、選択された表示態様にて、静止画が保持する複数の画像データに対して音声データを関連付けるプログラム（画像・音声関連付け手段）をＲＯＭ１０８に内蔵して備える。【選択図】図２
2005064637.tif 000002
【特許請求の範囲】
【請求項１】
音声を音声信号に変換し、音声データとして保持手段に保持する録音手段と、
個別に撮影された複数の画像データを合成して１つの静止画として格納する記憶手段と、
該記憶手段に格納されている前記静止画を表示態様を選択して画像表示手段に表示する表示態様選択手段と、
選択された表示態様にて、前記静止画が保持する前記複数の画像データに対して音声データを関連付ける画像・音声関連付け手段とを備えることを特徴とする音声付画像記録装置。
【請求項２】
被写体像を個別に撮影し、画像信号に変換して、複数の画像データとして記憶手段に格納する撮像手段と、
前記記憶手段に格納された前記複数の画像データを合成して１つの静止画を作成する画像合成手段と、
音声を音声信号に変換し、音声データとして保持手段に保持する録音手段と、
前記記憶手段に格納されている前記静止画を表示態様を選択して画像表示手段に表示する表示態様選択手段と、
選択された表示態様にて、前記静止画が保持する前記複数の画像データに対して音声データを関連付ける画像・音声関連付け手段とを備えることを特徴とする音声付画像記録装置。
【請求項３】
前記表示態様が、前記静止画が保持する前記複数の画像データの中の１つの画像データを拡大表示することを特徴とする請求項１または２に記載の音声付画像記録装置。
【請求項４】
前記表示態様が、前記静止画が保持する前記複数の画像データを前記画像表示手段に一覧表示することを特徴とする請求項１または２に記載の音声付画像記録装置。
【請求項５】
前記表示態様が、前記静止画が保持する前記複数の画像データの情報を画像表示手段に一覧表示することを特徴とする請求項１または２に記載の音声付画像記録装置。
【請求項６】
前記画像データを選択したことをユーザが識別しうる画像識別手段を備えることを特徴とする請求項４または５に記載の音声付画像記録装置。
【請求項７】
前記画像・音声関連付け手段が、前記複数の画像データを連続的に関連付けることを特徴とする請求項１ないし６のいずれかに記載の音声付画像記録装置。
【請求項８】
記憶手段に格納されている個別に撮影された複数の画像データを合成して作成された静止画を表示態様を選択して画像表示手段に表示する表示態様選択手段と、
前記複数の画像データと関連付けられた複数の音声データを再生する音声再生手段とを備えることを特徴とする音声付画像再生装置。
【請求項９】
前記表示態様が、前記静止画が保持する前記複数の画像データの中の１つの画像データを拡大表示することを特徴とする請求項８に記載の音声付画像再生装置。
【請求項１０】
前記表示態様が、前記静止画が保持する前記複数の画像データを前記画像表示手段に一覧表示することを特徴とする請求項８に記載の音声付画像再生装置。
【請求項１１】
前記表示態様が、前記静止画が保持する前記複数の画像データの情報を画像表示手段に一覧表示することを特徴とする請求項８に記載の音声付画像再生装置。
【請求項１２】
前記画像データを選択したことをユーザが識別しうる画像識別手段を備えることを特徴とする請求項１０または１１に記載の音声付画像再生装置。
【請求項１３】
前記表示された画像データまたは画像データの情報に関連付けられた音声データがあるときは識別情報を付記して前記画像表示手段に表示することを特徴とする請求項９ないし１２のいずれかに記載の音声付画像再生装置。
【請求項１４】
前記複数の画像データを撮影された順番に連続的に音声データとともに再生することを特徴とする請求項９ないし１３のいずれかに記載の音声付画像再生装置。
【請求項１５】
音声を音声信号に変換し、音声データとして保持手段に保持する録音ステップと、
個別に撮影された複数の画像データを合成して１つの静止画として記憶手段に格納する画像記憶ステップ、
前記記憶手段に格納されている前記静止画を表示態様を選択して表示する表示態様選択ステップと、
選択された表示態様にて、前記静止画が保持する前記複数の画像データに対して音声データを関連付ける画像・音声関連付けステップとを有することを特徴とする音声付画像記録方法。
【請求項１６】
被写体像を個別に撮影し、画像信号に変換して、複数の画像データとして記憶手段に格納する撮像ステップと、
前記記憶手段に格納された前記複数の画像データを合成して１つの静止画を作成する画像合成ステップと、
音声を音声信号に変換し、音声データとして保持手段に保持する録音ステップと、
前記記憶手段に格納されている前記静止画を表示態様を選択して画像表示手段に表示する表示態様選択ステップと、
選択された表示態様にて、前記静止画が保持する前記複数の画像データに対して音声データを関連付ける画像・音声関連付けステップとを有することを特徴とする音声付画像記録方法。
【請求項１７】
前記画像・音声関連付けステップが、前記複数の画像データを連続的に関連付けることを特徴とする請求項１５または１６に記載の音声付画像記録方法。
【請求項１８】
記憶手段に格納されている個別に撮影された複数の画像データを合成して作成された静止画を表示態様を選択して画像表示手段に表示する表示態様選択ステップと、
前記画像データと関連付けられた音声データを再生する音声再生ステップとを備えることを特徴とする音声付画像再生方法。
【請求項１９】
前記音声再生ステップは、前記複数の画像データを撮影された順番に連続的に音声データとともに再生することを特徴とする請求項１８に記載の音声付画像再生方法。
【請求項２０】
音声を音声信号に変換し、音声データとして保持手段に保持する録音ステップと、
個別に撮影された複数の画像データを合成して１つの静止画として記憶手段に格納する画像記憶ステップ、
前記記憶手段に格納されている前記静止画を表示態様を選択して表示する表示態様選択ステップと、
選択された表示態様にて、前記静止画が保持する前記複数の画像データに対して音声データを関連付ける画像・音声関連付けステップとを有することを特徴とする音声付画像記録プログラム。
【請求項２１】
被写体像を個別に撮影し、画像信号に変換して、複数の画像データとして記憶手段に格納する撮像ステップと、
前記記憶手段に格納された前記複数の画像データを合成して１つの静止画を作成する画像合成ステップと、
音声を音声信号に変換し、音声データとして保持手段に保持する録音ステップと、
前記記憶手段に格納されている前記静止画を表示態様を選択して画像表示手段に表示する表示態様選択ステップと、
選択された表示態様にて、前記静止画が保持する前記複数の画像データに対して音声データを関連付ける画像・音声関連付けステップとを有することを特徴とする音声付画像記録プログラム。
【請求項２２】
前記画像・音声関連付けステップが、前記複数の画像データを連続的に関連付けることを特徴とする請求項２０または２１に記載の音声付画像記録プログラム。
【請求項２３】
記憶手段に格納されている個別に撮影された複数の画像データを合成して作成された静止画を表示態様を選択して画像表示手段に表示する表示態様選択ステップと、
前記画像データと関連付けられた音声データを再生する音声再生ステップとを備えることを特徴とする音声付画像再生プログラム。
【請求項２４】
前記音声再生ステップは、前記複数の画像データを撮影された順番に連続的に音声データとともに再生することを特徴とする請求項２３に記載の音声付画像再生プログラム。
【請求項２５】
音声を音声信号に変換し、音声データとして保持手段に保持する録音ステップと、
個別に撮影された複数の画像データを合成して１つの静止画として記憶手段に格納する画像記憶ステップ、
前記記憶手段に格納されている前記静止画を表示態様を選択して表示する表示態様選択ステップと、
選択された表示態様にて、前記静止画が保持する前記複数の画像データに対して音声データを関連付ける画像・音声関連付けステップとを有することを特徴とする音声付画像記録プログラムを格納した記録媒体。
【請求項２６】
被写体像を個別に撮影し、画像信号に変換して、複数の画像データとして記憶手段に格納する撮像ステップと、
前記記憶手段に格納された前記複数の画像データを合成して１つの静止画を作成する画像合成ステップと、
音声を音声信号に変換し、音声データとして保持手段に保持する録音ステップと、
前記記憶手段に格納されている前記静止画を表示態様を選択して画像表示手段に表示する表示態様選択ステップと、
選択された表示態様にて、前記静止画が保持する前記複数の画像データに対して音声データを関連付ける画像・音声関連付けステップとを有することを特徴とする音声付画像記録プログラムを格納した記録媒体。
【請求項２７】
前記画像・音声関連付けステップが、前記複数の画像データを連続的に関連付けることを特徴とする請求項２５または２６に記載の音声付画像記録プログラムを格納した記録媒体。
【請求項２８】
記憶手段に格納されている個別に撮影された複数の画像データを合成して作成された静止画を表示態様を選択して画像表示手段に表示する表示態様選択ステップと、
前記画像データと関連付けられた音声データを再生する音声再生ステップとを備えることを特徴とする音声付画像再生プログラムを格納した記録媒体。
【請求項２９】
前記音声再生ステップは、前記複数の画像データを撮影された順番に連続的に音声データとともに再生することを特徴とする請求項２８に記載の音声付画像再生プログラムを格納した記録媒体。
【発明の詳細な説明】
【技術分野】
【０００１】
本発明は、複数の画像データを合成して静止画とし、それぞれの画像データに音声データを関連付けて記憶手段に記憶させる音声付画像記録装置、記憶手段から静止画を読み出して再生させる音声付画像再生装置、それらの音声付画像記録方法および、音声付画像再生方法、ならびに、音声付画像記録プログラム、音声付画像再生プログラム、さらに、音声付画像記録プログラムを格納した記録媒体、音声付画像再生プログラムを格納した記録媒体に関する。
【背景技術】
【０００２】
近年、ＣＣＤセンサ等の撮像素子により被写体を撮像してデジタル画像データに変換し、このデジタル画像データをメモリカード等の記録媒体に記録するデジタルカメラが急速に普及している。かかるデジタルカメラでは、高機能化・高性能化が進んでおり、例えば、静止画の画像データのみならず、音声データ付き静止画ならびに音声データ等をもメモリカード等の記録媒体に記録し得る構成とし、これらをモード選択により選択的に同一の記録媒体に記録するようにしたもの、また、連続撮影された画像をひとつの画像データとして記録する技術が開示されている（下記特許文献１）。
【０００３】
このスチルカメラは、被写体を撮像して画像データを出力する撮影手段と、画像データを符号化する画像データ符号化手段と、符号化された画像データを記録媒体に記録するための手段と、音声を電気信号に変換する手段と、電気信号に変換された音声データを符号化する音声データ符号化手段と、符号化された音声データを記録媒体に記録するための手段とを備え、画像データ符号化手段と音声データ符号化手段とを時分割に共用し、かつ画像データ符号化手段及び音声データ符号化手段に離散コサイン変換量子化処理部を備え、外部から設定される音声モードにより量子化テーブルの各周波数帯の重みづけを変更可能にしている。
【特許文献１】特許第３２３５９０３号公報
【発明の開示】
【発明が解決しようとする課題】
【０００４】
しかしながら、連続撮影された撮影画像をひとつに合成した静止画像として記録する場合に、それぞれの撮影画像に対し、固有の音声データを付加する技術に関しては明記されていない。
【０００５】
例えば、ゴルフスイングを連続撮影した撮影画像を合成して一つの静止画像として記録する技術が近年適用されているが、スイング中のポイントとなる画像（コマ）に、音声でアドバイスを記録したいという市場の要求があり、従来では、複数の撮影画像の１つ１つに対して、音声ファイルを１つずつ作成するため、大きな記憶容量を必要とし、装置の大型化、コスト高を招くという問題がある。
そこでこの発明の目的は、大きな記憶容量を必要とせず、コンパクトな音声付画像記録装置を提供することにある。
【課題を解決するための手段】
【０００６】
請求項１の発明は、音声音声を音声信号に変換し、音声データとして保持手段に保持する録音手段と、
個別に撮影された複数の画像データを合成して１つの静止画として格納する記憶手段と、
該記憶手段に格納されている前記静止画を表示態様を選択して画像表示手段に表示する表示態様選択手段と、
選択された表示態様にて、前記静止画が保持する前記複数の画像データに対して音声データを関連付ける画像・音声関連付け手段とを備えることを特徴とする。
【０００７】
請求項１の発明によれば、複数の画像データを合成して１つの静止画とし、その静止画のそれぞれの画像データに音声データを関連付けるので、複数の画像データと複数の音声データを作ることがなく、必要な記憶容量が少ない音声付記録装置となる。
【０００８】
請求項２の発明は、被写体像を個別に撮影し、画像信号に変換して、複数の画像データとして記憶手段に格納する撮像手段と、
前記記憶手段に格納された前記複数の画像データを合成して１つの静止画を作成する画像合成手段と、
音声を音声信号に変換し、音声データとして保持手段に保持する録音手段と、
前記記憶手段に格納されている前記静止画を表示態様を選択して画像表示手段に表示する表示態様選択手段と、
選択された表示態様にて、前記静止画が保持する前記複数の画像データに対して音声データを関連付ける画像・音声関連付け手段とを備えることを特徴とする。
【０００９】
請求項２の発明によれば、複数の画像データを合成して１つの静止画とし、その静止画のそれぞれの画像データに音声データを関連付けるので、複数の画像データと複数の音声データを作ることがなく、必要な記憶容量が少ない、撮像手段と画像合成手段を備えた音声付記録装置となる。
【００１０】
請求項３の発明は、請求項１または２に記載の音声付画像記録装置において、前記表示態様が、前記静止画が保持する前記複数の画像データの中の１つの画像データを拡大表示することを特徴とする。
【００１１】
請求項４の発明は、請求項１または２に記載の音声付画像記録装置において、前記表示態様が、前記静止画が保持する前記複数の画像データを前記画像表示手段に一覧表示することを特徴とする。
【００１２】
請求項５の発明は、請求項１または２に記載の音声付画像記録装置において、前記表示態様が、前記静止画が保持する前記複数の画像データの情報を画像表示手段に一覧表示することを特徴とする。
【００１３】
請求項３ないし５の発明によれば、画像表示手段に静止画を複数の表示態様で表示可能となる。
【００１４】
請求項６の発明は、請求項４または５に記載の音声付画像記録装置において、前記画像データを選択したことをユーザが識別しうる画像識別手段を備えることを特徴とする。
【００１５】
請求項６の発明によれば、選択している画像データの識別を容易にする。
【００１６】
請求項７の発明は、請求項１ないし６のいずれかに記載の音声付画像記録装置において、前記画像・音声関連付け手段が、前記複数の画像データを連続的に関連付けることを特徴とする。
【００１７】
請求項７の発明によれば、複数の画像データへの音声関連付けが効率良く行える。
【００１８】
請求項８の発明は、記憶手段に格納されている個別に撮影された複数の画像データを合成して作成された静止画を表示態様を選択して画像表示手段に表示する表示態様選択手段と、
前記複数の画像データと関連付けられた複数の音声データを再生する音声再生手段とを備えることを特徴とする。
【００１９】
請求項８の発明によれば、１つの静止画となっている複数の画像データの複数の音声データを再生する。
【００２０】
請求項９の発明は、請求項８に記載の音声付画像再生装置において、前記表示態様が、前記静止画が保持する前記複数の画像データの中の１つの画像データを拡大表示することを特徴とする。
【００２１】
請求項１０の発明は、請求項８に記載の音声付画像再生装置において、前記表示態様が、前記静止画が保持する前記複数の画像データを前記画像表示手段に一覧表示することを特徴とする。
【００２２】
請求項１１の発明は、請求項８に記載の音声付画像再生装置において、前記表示態様が、前記静止画が保持する前記複数の画像データの情報を画像表示手段に一覧表示することを特徴とする。
【００２３】
請求項９ないし１１の発明によれば、１つの静止画として合成された複数の音声付画像データを複数の表示態様で画像表示手段に表示可能となる。
【００２４】
請求項１２の発明は、請求項１０または１１に記載の音声付画像再生装置において、前記画像データを選択したことをユーザが識別しうる画像識別手段を備えることを特徴とする。
【００２５】
請求項１２の発明によれば、選択している音声付画像データの識別を容易にする。
【００２６】
請求項１３の発明は、請求項９ないし１２のいずれかに記載の音声付画像再生装置において、前記表示された画像データまたは画像データの情報に関連付けられた音声データがあるときは識別情報を付記して前記画像表示手段に表示することを特徴とする。
【００２７】
請求項１３の発明によれば、表示された画像データまたは画像データの情報に関連付けられた音声データがあるときは識別情報を付記して画像表示手段に表示するので、音声付画像データを画像表示手段で容易に確認可能となる。
【００２８】
請求項１４の発明は、請求項９ないし１３のいずれかに記載の音声付画像再生装置において、前記複数の画像データを撮影された順番に連続的に音声データとともに再生することを特徴とする。
【００２９】
請求項１４の発明によれば、複数の画像データを撮影された順番に連続的に音声データとともに再生するので、複数の音声付画像データの再生が効率良く行なえる。
【００３０】
請求項１５の発明は、音声付画像記録方法において、音声を音声信号に変換し、音声データとして保持手段に保持する録音ステップと、
個別に撮影された複数の画像データを合成して１つの静止画として記憶手段に格納する画像記憶ステップ、
前記記憶手段に格納されている前記静止画を表示態様を選択して表示する表示態様選択ステップと、
選択された表示態様にて、前記静止画が保持する前記複数の画像データに対して音声データを関連付ける画像・音声関連付けステップとを有することを特徴とする。
【００３１】
請求項１５の発明によれば、複数の画像データを合成して１つの静止画とし、その静止画のそれぞれの画像データに音声データを関連付けるので、複数の画像データと複数の音声データを作ることがなく、必要な記憶容量が少なくて済む。
【００３２】
請求項１６の発明は、音声付画像記録方法において、被写体像を個別に撮影し、画像信号に変換して、複数の画像データとして記憶手段に格納する撮像ステップと、
前記記憶手段に格納された前記複数の画像データを合成して１つの静止画を作成する画像合成ステップと、
音声を音声信号に変換し、音声データとして保持手段に保持する録音ステップと、
前記記憶手段に格納されている前記静止画を表示態様を選択して画像表示手段に表示する表示態様選択ステップと、
選択された表示態様にて、前記静止画が保持する前記複数の画像データに対して音声データを関連付ける画像・音声関連付けステップとを有することを特徴とする。
【００３３】
請求項１６の発明によれば、複数の画像データを合成して１つの静止画とし、その静止画のそれぞれの画像データに音声データを関連付けるので、複数の画像データと複数の音声データを作ることがなく、画像の撮影、複数の画像データの合成、複数の画像データへの音声の関連付けを記憶容量を少なくして可能となる。
【００３４】
請求項１７の発明は、請求項１５または１６に記載の音声付画像記録方法において、前記画像・音声関連付けステップが、前記複数の画像データを連続的に関連付けることを特徴とする。
【００３５】
請求項１７の発明によれば、画像・音声関連付けステップが、複数の画像データを連続的に関連付けるので、複数の画像データへの音声関連付けが効率良く行える。
【００３６】
請求項１８の発明は、音声付画像再生方法において、記憶手段に格納されている個別に撮影された複数の画像データを合成して作成された静止画を表示態様を選択して画像表示手段に表示する表示態様選択ステップと、
前記画像データと関連付けられた音声データを再生する音声再生ステップとを備えることを特徴とする。
【００３７】
請求項１８の発明によれば、１つの静止画となっている複数の画像データの複数の音声データを再生する。
【００３８】
請求項１９の発明は、請求項１８に記載の音声付画像再生方法において、前記音声再生ステップは、前記複数の画像データを撮影された順番に連続的に音声データとともに再生することを特徴とする。
【００３９】
請求項１９の発明によれば、音声再生ステップは、複数の画像データを撮影された順番に連続的に音声データとともに再生するので、複数の音声付画像データの再生が効率良く行なえる。
【００４０】
請求項２０の発明は、音声付画像記録プログラムにおいて、音声を音声信号に変換し、音声データとして保持手段に保持する録音ステップと、
個別に撮影された複数の画像データを合成して１つの静止画として記憶手段に格納する画像記憶ステップ、
前記記憶手段に格納されている前記静止画を表示態様を選択して表示する表示態様選択ステップと、
選択された表示態様にて、前記静止画が保持する前記複数の画像データに対して音声データを関連付ける画像・音声関連付けステップとを有することを特徴とする。
【００４１】
請求項２０の発明によれば、複数の画像データを合成して１つの静止画とし、その静止画のそれぞれの画像データに音声データを関連付けるので、複数の画像データと複数の音声データを作ることがなく、必要な記憶容量が少なくて済む。
【００４２】
請求項２１の発明は、音声付画像記録プログラムにおいて、被写体像を個別に撮影し、画像信号に変換して、複数の画像データとして記憶手段に格納する撮像ステップと、
前記記憶手段に格納された前記複数の画像データを合成して１つの静止画を作成する画像合成ステップと、
音声を音声信号に変換し、音声データとして保持手段に保持する録音ステップと、
前記記憶手段に格納されている前記静止画を表示態様を選択して画像表示手段に表示する表示態様選択ステップと、
選択された表示態様にて、前記静止画が保持する前記複数の画像データに対して音声データを関連付ける画像・音声関連付けステップとを有することを特徴とする。
【００４３】
請求項２１の発明によれば、複数の画像データを合成して１つの静止画とし、その静止画のそれぞれの画像データに音声データを関連付けるので、複数の画像データと複数の音声データを作ることがなく、画像の撮影、複数の画像データの合成、複数の画像データへの音声の関連付けを記憶容量を少なくして可能となる。
【００４４】
請求項２２の発明は、請求項２０または２１に記載の音声付画像記録プログラムにおいて、前記画像・音声関連付けステップが、前記複数の画像データを連続的に関連付けることを特徴とする。
【００４５】
請求項２２の発明によれば、画像・音声関連付けステップが、複数の画像データを連続的に関連付けるので、複数の画像データへの音声関連付けが効率良く行える。
【００４６】
請求項２３の発明は、音声付画像再生プログラムにおいて、記憶手段に格納されている個別に撮影された複数の画像データを合成して作成された静止画を表示態様を選択して画像表示手段に表示する表示態様選択ステップと、
前記画像データと関連付けられた音声データを再生する音声再生ステップとを備えることを特徴とする。
【００４７】
請求項２３の発明によれば、１つの静止画となっている複数の画像データの複数の音声データを再生する。
【００４８】
請求項２４の発明は、請求項２３に記載の音声付画像再生プログラムにおいて、前記音声再生ステップは、前記複数の画像データを撮影された順番に連続的に音声データとともに再生することを特徴とする。
【００４９】
請求項２４の発明によれば、音声再生ステップは、複数の画像データを撮影された順番に連続的に音声データとともに再生するので、複数の音声付画像データの再生が効率良く行なえる。
【００５０】
請求項２５の発明は、音声付画像記録プログラムを格納した記録媒体において、音声を音声信号に変換し、音声データとして保持手段に保持する録音ステップと、
個別に撮影された複数の画像データを合成して１つの静止画として記憶手段に格納する画像記憶ステップ、
前記記憶手段に格納されている前記静止画を表示態様を選択して表示する表示態様選択ステップと、
選択された表示態様にて、前記静止画が保持する前記複数の画像データに対して音声データを関連付ける画像・音声関連付けステップとを有することを特徴とする。
【００５１】
請求項２５の発明によれば、複数の画像データを合成して１つの静止画とし、その静止画のそれぞれの画像データに音声データを関連付けるので、複数の画像データと複数の音声データを作ることがなく、必要な記憶容量が少なくて済む。
【００５２】
請求項２６の発明は、音声付画像記録プログラムを格納した記録媒体において、被写体像を個別に撮影し、画像信号に変換して、複数の画像データとして記憶手段に格納する撮像ステップと、
前記記憶手段に格納された前記複数の画像データを合成して１つの静止画を作成する画像合成ステップと、
音声を音声信号に変換し、音声データとして保持手段に保持する録音ステップと、
前記記憶手段に格納されている前記静止画を表示態様を選択して画像表示手段に表示する表示態様選択ステップと、
選択された表示態様にて、前記静止画が保持する前記複数の画像データに対して音声データを関連付ける画像・音声関連付けステップとを有することを特徴とする。
【００５３】
請求項２６の発明によれば、複数の画像データを合成して１つの静止画とし、その静止画のそれぞれの画像データに音声データを関連付けるので、複数の画像データと複数の音声データを作ることがなく、画像の撮影、複数の画像データの合成、複数の画像データへの音声の関連付けを記憶容量を少なくして可能となる。
【００５４】
請求項２７の発明は、請求項２５または２６に記載の音声付画像記録プログラムを格納した記録媒体において、前記画像・音声関連付けステップが、前記複数の画像データを連続的に関連付けることを特徴とする。
【００５５】
請求項２７の発明によれば、画像・音声関連付けステップが、複数の画像データを連続的に関連付けるので、複数の画像データへの音声関連付けが効率良く行える。
【００５６】
請求項２８の発明は、音声付画像再生プログラムを格納した記録媒体において、記憶手段に格納されている個別に撮影された複数の画像データを合成して作成された静止画を表示態様を選択して画像表示手段に表示する表示態様選択ステップと、
前記画像データと関連付けられた音声データを再生する音声再生ステップとを備えることを特徴とする。
【００５７】
請求項２８の発明によれば、１つの静止画となっている複数の画像データの複数の音声データを再生する。
【００５８】
請求項２９の発明は、請求項２８に記載の音声付画像再生プログラムを格納した記録媒体において、前記音声再生ステップは、前記複数の画像データを撮影された順番に連続的に音声データとともに再生することを特徴とする。
【００５９】
請求項２９の発明によれば、音声再生ステップは、複数の画像データを撮影された順番に連続的に音声データとともに再生するので、複数の音声付画像データの再生が効率良く行なえる。
【発明の効果】
【００６０】
請求項１に記載の発明によれば、複数の画像データを合成して１つの静止画とし、その静止画のそれぞれの画像データに音声データを関連付けるので、複数の画像データと複数の音声データを作ることがなく、大きな記憶容量を必要とせず、コンパクトな音声付画像記録装置を提供することができる。
【００６１】
請求項２に記載の発明によれば、複数の画像データを合成して１つの静止画とし、その静止画のそれぞれの画像データに音声データを関連付けるので、複数の画像データと複数の音声データを作ることがなく、大きな記憶容量を必要とせず、コンパクトな音声付画像記録装置を提供することができる。
【００６２】
請求項３ないし５に記載の発明によれば、画像表示手段に静止画を複数の表示態様で表示することができる。
【００６３】
請求項６に記載の発明によれば、選択している画像データの識別を容易にすることができる。
【００６４】
請求項７に記載の発明によれば、複数の画像データへの音声関連付けが効率良く行うことができる。
【００６５】
請求項８に記載の発明によれば、１つの静止画となっている複数の画像データの複数の音声データを再生する音声付画像再生装置を提供することができる。
【００６６】
請求項９ないし１１に記載の発明によれば、１つの静止画として合成された複数の音声付画像データを複数の表示態様で画像表示手段に表示することができる。
【００６７】
請求項１２に記載の発明によれば、選択している音声付画像データの識別を容易にする。
【００６８】
請求項１３に記載の発明によれば、音声付画像データを画像表示手段で容易に確認することができる。
【００６９】
請求項１４に記載の発明によれば、複数の音声付画像データの再生が効率良く行なえる。
【００７０】
請求項１５に記載の発明によれば、複数の画像データを合成して１つの静止画とし、その静止画のそれぞれの画像データに音声データを関連付けるので、複数の画像データと複数の音声データを作ることがなく、必要な記憶容量を少なくすることができる。
【００７１】
請求項１６に記載の発明によれば、複数の画像データを合成して１つの静止画とし、その静止画のそれぞれの画像データに音声データを関連付けるので、複数の画像データと複数の音声データを作ることがなく、画像の撮影、複数の画像データの合成、複数の画像データへの音声の関連付けを記憶容量を少なくすることができる。
【００７２】
請求項１７に記載の発明によれば、複数の画像データへの音声関連付けを効率良く行うことができる。
【００７３】
請求項１８に記載の発明によれば、１つの静止画となっている複数の画像データの複数の音声データを再生する音声付画像再生方法を提供することができる。
【００７４】
請求項１９に記載の発明によれば、複数の画像データを撮影された順番に連続的に音声データとともに再生するので、複数の音声付画像データの再生が効率良く行なうことができる。
【００７５】
請求項２０に記載の発明によれば、複数の画像データを合成して１つの静止画とし、その静止画のそれぞれの画像データに音声データを関連付けるので、複数の画像データと複数の音声データを作ることがなく、必要な記憶容量が少なくした、音声付画像記録プログラムを提供することができる。
【００７６】
請求項２１に記載の発明によれば、複数の画像データを合成して１つの静止画とし、その静止画のそれぞれの画像データに音声データを関連付けるので、複数の画像データと複数の音声データを作ることがなく、画像の撮影、複数の画像データの合成、複数の画像データへの音声の関連付けを記憶容量を少なくした音声付画像記録プログラムを提供することができる。
【００７７】
請求項２２に記載の発明によれば、画像・音声関連付けステップが、複数の画像データを連続的に関連付けるので、複数の画像データへの音声関連付けが効率良く行うことができる。
【００７８】
請求項２３に記載の発明によれば、１つの静止画となっている複数の画像データの複数の音声データを再生する音声付画像再生プログラムを提供することができる。
【００７９】
請求項２４に記載の発明によれば、音声再生ステップは、複数の画像データを撮影された順番に連続的に音声データとともに再生するので、複数の音声付画像データの再生が効率良く行うことができる。
【００８０】
請求項２５に記載の発明によれば、複数の画像データを合成して１つの静止画とし、その静止画のそれぞれの画像データに音声データを関連付けるので、複数の画像データと複数の音声データを作ることがなく、必要な記憶容量が少ない音声付画像記録プログラムを格納した記録媒体を提供することができる。
【００８１】
請求項２６に記載の発明によれば、複数の画像データを合成して１つの静止画とし、その静止画のそれぞれの画像データに音声データを関連付けるので、複数の画像データと複数の音声データを作ることがなく、画像の撮影、複数の画像データの合成、複数の画像データへの音声の関連付けを記憶容量を少なくして可能とした音声付画像記録プログラムを格納した記録媒体を提供することができる。
【００８２】
請求項２７に記載の発明によれば、画像・音声関連付けステップが、複数の画像データを連続的に関連付けるので、複数の画像データへの音声関連付けが効率良く行うことができる。
【００８３】
請求項２８に記載の発明によれば、１つの静止画となっている複数の画像データの複数の音声データを再生することができる。
【００８４】
請求項２９に記載の発明によれば、音声再生ステップは、複数の画像データを撮影された順番に連続的に音声データとともに再生するので、複数の音声付画像データの再生が効率良く行なえる。
【発明を実施するための最良の形態】
【００８５】
以下、図面を参照しつつ、この発明の実施の形態について詳細に説明する。
図１は、本発明の音声付画像記録装置、兼音声付画像再生装置の一例としてのディジタルカメラの外観図であり、（ａ）はその上面図、（ｂ）はその正面図、（ｃ）はその背面図である。
又、図２は、ディジタルカメラの電気ブロック図である。
【００８６】
ディジタルカメラは、角に丸みをつけた直方体状のカメラ本体Ｂを正面Ｂ１にはレンズを備えた鏡銅ユニット７を設け、鏡銅ユニット７の斜め右上にリモコン操作の光を受光するリモコン受光部６を備えるとともに、鏡銅ユニット７の上には光学ファインダ４、測距ユニット５、ストロボ発光部３を備える。なお、光学ファインダ４は、カメラ本体Ｂを正面Ｂ１から背面Ｂ３に向かって貫通して設ける。一方、正面Ｂ１の左端には、ＳＤカード／電池蓋２を設ける。
【００８７】
カメラ本体Ｂの上面Ｂ２には、撮影枚数などを表示するサブＬＣＤ１、撮影モードなどを選択するモードダイアルＳＷ２、レリーズシャッタボタンＳＷ１などを備える。
そして、カメラ本体Ｂの背面Ｂ３には、撮影する画像データを表示したり撮影した画像データを再表示したりするＬＣＤモニタ（画像表示手段）１０を備え、その右横には、操作ボタン（表示態様選択手段）Ａを備える。この操作ボタンＡは、上／ストロボボタンＳＷ７、下／マクロボタンＳＷ１０、右ボタンＳＷ８、左／画像確認ボタンＳＷ１１からなる。また、操作ボタンＡの右下にはディスプレイボタンＳＷ９を、操作ボタンＡの左下にはＯＫボタンＳＷ１２を、操作ボタンＡの左上にはメニューボタンＳＷ６を備える。
【００８８】
さらに、メニューボタンＳＷ６の上には、セルフタイマ／削除ボタンＳＷ５を備え、その右横には、ズームアウトボタンＳＷ３とズームアップボタンＳＷ４とからなるズームボタンＣを備える。一方、ＬＣＤモニタ１０の下には電源スイッチＳＷ１３を備えるとともに、ＬＣＤモニタ１０の上にはＡＦ  ＬＥＤ８、ストロボＬＥＤ９を備え、さらにその上には光学ファインダ４が正面Ｂ１から貫通して設けられる。
【００８９】
図２に、電気ブロック図を示す。
鏡胴ユニット７は、被写体の光学画像を取り込むズームレンズ７１ａ、ズーム駆動モータ７１ｂからなるズーム光学系７１、フォーカスレンズ７２ａ、フォーカス駆動モータ７２ｂからなるフォーカス光学系７２、絞り７３ａ、絞りモータ７３ｂからなる絞りユニット７３、メカシャッタ７４ａ、メカシャッタモータ７４ｂからなるメカシャッタユニット７４、各モータを駆動するモータドライバ７５を有する。
【００９０】
そして、モータドライバ７５は、リモコン受光部６入力や操作部ＫｅｙユニットＳＷ１〜ＳＷ１３の操作入力に基づく、後述するディジタルスチルカメラプロセッサ１０４内にあるＣＰＵブロック１０４ｃからの駆動指令により駆動制御される。
【００９１】
ＲＯＭ１０８には、ＣＰＵブロック１０４ｃにて解読可能なコードで記述された、制御プログラムや制御するためのパラメータが格納されている。このデジタルカメラの電源がオン状態になると、前記プログラムは不図示のメインメモリにロードされ、前記ＣＰＵブロック１０４ｃはそのプログラムに従って装置各部の動作を制御するとともに、制御に必要なデータ等を、一時的に、ＲＡＭ１０７、及び後述するディジタルスチルカメラプロセッサ１０４内にあるＬｏｃａｌ  ＳＲＡＭ１０４ｄに保存する。
【００９２】
また、ＲＯＭ１０８に書き換え可能なフラッシュＲＯＭを使用することで、制御プログラムや制御するためのパラメータを変更することが可能となり、機能のバージョンアップが容易に行える。さらに、後述する個別に撮影した複数の画像データから１つの静止画を作成するプログラム（画像合成手段）や、静止画の個々の画像データに対して、固有の音声データ関連付けるプログラム（画像・音声関連付け手段）を格納している。
【００９３】
ＣＣＤ１０１は、光学画像を光電変換するための固体撮像素子であり、Ｆ／Ｅ（フロントエンド）−ＩＣ１０２は、画像ノイズ除去用相関二重サンプリングを行うＣＤＳ１０２ａ、利得調整を行うＡＧＣ１０２ｂ、ディジタル信号変換を行うＡ／Ｄ１０２ｃ、ＣＣＤ１制御ブロック１０４ａより、垂直同期信号（以下、ＶＤと記す。）、水平同期信号（以下、ＨＤと記す。）を供給され、ＣＰＵブロック１０４ｃによって制御されるＣＣＤ１０１、及びＦ／Ｅ−ＩＣ１０２の駆動タイミング信号を発生するＴＧ１０２ｄを有する。
【００９４】
ディジタルスチルカメラプロセッサ１０４は、ＣＣＤ１０１よりＦ／Ｅ―ＩＣ１０２の出力データにホワイトバランス設定やガンマ設定を行い、又、前述したように、ＶＤ信号、ＨＤ信号を供給するＣＣＤ１制御ブロック１０４ａ、フィルタリング処理により、輝度データ・色差データへの変換を行うＣＣＤ２制御ブロック１０４ｂ、前述した装置各部の動作を制御したり、画像をスライドショー表示するプログラムを格納したＣＰＵブロック１０４ｃ、前述した制御に必要なデータ等を、一時的に、保存するＬｏｃａｌ  ＳＲＡＭ１０４ｄ、パソコンなどの外部機器とＵＳＢ通信を行うＵＳＢブロック１０４ｅ、パソコンなどの外部機器とシリアル通信を行うシリアルブロック１０４ｆ、ＪＰＥＧ圧縮・伸張を行うＪＰＥＧ  ＣＯＤＥＣブロック１０４ｇ、画像データのサイズを補間処理により拡大／縮小するＲＥＳＩＺＥブロック１０４ｈ、画像データを液晶モニタやＴＶなどの外部表示機器に表示するためのビデオ信号に変換するＴＶ信号表示ブロック１０４ｉ、撮影された画像データを記録するメモリカードの制御を行うメモリカードコントローラブロック１０４ｊを有する。
【００９５】
ＳＤＲＡＭ１０３は、前述したディジタルスチルカメラプロセッサ１０４で画像データに各種処理を施す際に、画像データを一時的に保存する。保存される画像データは、例えば、ＣＣＤ１０１から、Ｆ／Ｅ−ＩＣ１０２を経由して取りこんで、ＣＣＤ１信号処理ブロック１０４ａでホワイトバランス設定、ガンマ設定が行われた状態の「ＲＡＷ−ＲＧＢ画像データ」やＣＣＤ２制御ブロック１０４ｂで輝度データ・色差データ変換が行われた状態の「ＹＵＶ画像データ」、ＪＰＥＧ  ＣＯＤＥＣブロック１０４ｇで、ＪＰＥＧ圧縮された「ＪＰＥＧ画像データ」などである。また、後述する静止画の個々の画像データに関連付けするために音声データも一時的に保存される。
【００９６】
メモリカードスロットル１２１は、着脱可能なメモリカードを装着するためのスロットルである。内蔵メモリ１２０は、前述したメモリカードスロットル１２１にメモリカードが装着されていない場合でも、単独に撮影された画像データを記憶できるようにするためのメモリである。
【００９７】
ＬＣＤドライバ１１７は、後述するＬＣＤモニタ１０に駆動するドライブ回路であり、ＴＶ信号表示ブロック１０４ｉから出力されたビデオ信号を、ＬＣＤモニタ１０に表示するための信号に変換する機能も有している。ＬＣＤモニタ１０は、撮影前に被写体の状態を監視する、単独に撮影された画像を確認する、メモリカード（記録手段）や前述した内蔵メモリ（記憶手段）１２０に記録した画像データを表示する、などを行うためのモニタである。
【００９８】
ビデオＡＭＰ１１８は、ＴＶ信号表示ブロック１０４ｉから出力されたビデオ信号を、７５Ωインピーダンス変換するためのアンプであり、ビデオジャック１１９は、ＴＶなどの外部表示機器と接続するためのジャックである。
ＵＳＢコネクタ１２２は、パソコンなどの外部機器とＵＳＢ接続を行う為のコネクタである。
【００９９】
シリアルドライバ回路１２３ａは、パソコンなどの外部機器とシリアル通信を行うために、前述したシリアルブロック１０４ｆの出力信号を電圧変換するための回路であり、ＲＳ−２３２Ｃコネクタは、パソコンなどの外部機器とシリアル接続を行う為のコネクタである。
【０１００】
ＳＵＢ−ＣＰＵ１０９は、ＲＯＭ・ＲＡＭをワンチップに内蔵したＣＰＵであり、操作ＫｅｙユニットＳＷ１〜１３やリモコン受光部６の出力信号をユーザの操作情報として、前述したＣＰＵブロック１０４ｃに出力したり、前述したＣＰＵブロック１０４ｃより出力されるカメラの状態を、後述するサブＬＣＤ１、ＡＦ  ＬＥＤ８、ストロボＬＥＤ９、ブザー１１３の制御信号に変換して、出力する。
【０１０１】
サブＬＣＤ１は、例えば、撮影可能枚数など表示するための表示部であり、ＬＣＤドライバ１１１は、前述したＳＵＢ−ＣＰＵ１０９の出力信号より、前述したサブＬＣＤ１を駆動するためのドライブ回路である。
【０１０２】
ＡＦ  ＬＥＤ８は、撮影時の合焦状態を表示するためのＬＥＤであり、ストロボＬＥＤ９は、ストロボ充電状態を表すためのＬＥＤである。尚、このＡＦ  ＬＥＤ８とストロボＬＥＤ９を、メモリカードアクセス中などの別の表示用途に使用しても良い。
【０１０３】
操作ＫｅｙユニットＳＷ１〜１３は、ユーザが操作するＫｅｙ回路であり、リモコン受光部６は、ユーザが操作したリモコン送信機の信号の受信部である。
音声記録ユニット１１５は、入力された音声を音声信号に変換するマイク１１５ｃ、音声信号を増幅するマイクＡＭＰ１１５ｂ、増幅された音声データを録音する音声記録回路（録音手段）１１５ｃからなる。なお、音声記録回路１１５ｃで録音された音声データは、ＳＤＲＡＭ１０３（保持手段）に保持される。
【０１０４】
音声再生ユニット１１６は、記録された音声信号をスピーカから出力できる信号に変換する音声再生回路１１６ａ、変換された音声信号を増幅し、スピーカを駆動するためのオーディオＡＭＰ１１６ｂ、音声信号を出力するスピーカ１１６ｃからなる。なお、鏡銅ユニット７、Ｆ／Ｅ−ＩＣ１０２、ディジタルスチルカメラプロセッサ１０４、ＲＯＭ１０８、ＳＤＲＡＭ１０３、メモリカードスロットル１２１、メモリカードを合わせて、撮像手段と称す。そして、鏡銅ユニット７で被写体像を取り込み、Ｆ／Ｅ−ＩＣ１０２、ディジタルスチルカメラプロセッサ１０４、において、画像信号に変換されて、画像データとしてメモリカードまたは内蔵メモリ１２０に格納される。
【０１０５】
図３（ａ）には、本発明の音声付画像記録装置により形成される静止画の一例の概略構造図である。
この静止画は、内蔵メモリ１２０またはメモリカードに格納されている、個別に撮影された複数の画像データをＳＤＲＡＭ１０３に呼び出して、ＲＯＭ１０８に格納されているプログラム（画像合成手段）によって合成して作成される。ＲＯＭ１０８に格納されたその静止画の個々の画像データに対して固有の音声データを関連付けるプログラム（画像・音声関連付け手段）により音声データを付与される。
静止画の構造は、ヘッダ部とデータ部に分けられる。ヘッダ部には、画像の圧縮情報やタグ情報が格納されており、１つの静止画として記録された別々に撮影された複数の画像データの数も、このヘッダ部に格納されている。
【０１０６】
また、単独に撮影されたそれぞれの画像データの記録開始位置や音声データの記録開始位置も、ポインタとしてヘッダ部に格納されている。画像データの記録開始位置や音声データの記録開始位置はポインタでなく、絶対的な位置を表すアドレスで格納されていても良い。データ部には、画像データと音声データが格納されている。
【０１０７】
具体的には、図３（ｂ）に示すように、１つの静止画内に画像といっしょに、１６コマの各々のコマ番号に対応して、複数の音声ファイルを記録する。
例えば、あらかじめ画像ファイルの所定のデータ領域に、音声データの情報領域を設け、コマ番号と対応する音声データの開始アドレスとそのサイズを下記表２のようなテーブルで保存するように決めておく。
【０１０８】
この例では、静止画Ｐ０００１．ｊｐｇの、３コマ目の音声を記録する場合は、音声情報領域の先頭から０ｘ０８バイト目に、音声データの開始アドレスと音声データのサイズを設定して、開始アドレスからデータサイズ分の音声データを記録する。図３（ｂ）では、このアドレス値が０ｘ２０００であるからデータサイズ０ｘ１ＦＦＦ分のデータを読み出して再生すればよい。なお、データサイズが０の場合は、音声データが無いことを示す。
【０１０９】
上述の例では、画像データと音声データを同一の静止画に格納しているが、図４に示すように音声ファイルを別ファイルに格納しても良い。この場合、ヘッダ部に格納されている音声データの記録開始位置は、別ファイルとなった音声データのファイル名となる。すなわち、１つの静止画に合成されている１６コマの各々のコマ番号に対応して、音声ファイルを作成することができる。各コマ番号に対する音声をファイルに記録してファイル名を付ける。まず、複数のコマ画像からなる１つの画像のファイル名は、例えばＰ０００１．ｊｐｇのようになっている。
【０１１０】
このファイル名には規則があり、画像であることを示すＰと、撮影順に増加する４桁の画像番号と、ピリオドの後の拡張子（例えばｊｐｇ）から構成される。この画像の１コマ画像に対応する音声ファイル名の規則は、例えばＳ０００１＿０１．ｗａｖのようになっていて、音声ファイルであることを示すＳと、対応する画像ファイルの４桁の画像番号と、区切りを示すアンダースコア“＿”と、複数のコマ画像のどの画像に対応するかの２桁のコマ番号と、拡張子（例えばｗａｖ）から構成される。
【０１１１】
次に、本発明の単独に撮影された複数の画像のそれぞれの画像データに音声データを記録する操作方法を説明する。
図５（ａ）は、本発明の単独画像音声記録選択設定画面である。
まず、モードダイアルＳＷ２を撮影の位置に合わせた状態でメニューボタンＳＷ６を押下すると、「記録モード設定メニュー」が、ＬＣＤモニタ１０に表示される。この状態で、操作ボタンＡの、上／ストロボボタンＳＷ７と下／マクロボタンＳＷ１０を使用して、「単独画像音声記録選択」を選択し、右ボタンＳＷ８を押下すると、図５（ｂ）に示す「単独画像音声記録選択」画面が、ＬＣＤモニタ１０に表示される。
【０１１２】
この状態で、上／ストロボボタンＳＷ７と下／マクロボタンＳＷ１０（表示態様選択手段）を使用して、音声を記録する単独に撮影された画像データを合成した静止画のＬＣＤモニタ１０への表示態様を選択する。表示態様の選択方法には、「拡大画面選択」，「マルチ画面選択」，「撮影順番選択」の３種類がある。希望の選択方法を選択した後、ＯＫボタンＳＷ１２を押下することで、音声を記録する単独に撮影された画像の選択が開始される。
【０１１３】
ここで、「拡大画面選択」とは、図６（ａ）に示すように、静止画が保持する複数の画像データの中の一つの画像データをＬＣＤモニタ１０に拡大表示するものであり、「マルチ画面選択」とは、図６（ｂ）に示すように、静止画が保持する複数の画像データをＬＣＤモニタ１０に一覧表示するものであり、「撮影順番選択」とは、図６（ｃ）に示すように、静止画が保持する複数の画像データの情報（この例では、「撮影順番○枚目」という情報）をＬＣＤモニタ１０に一覧表示するものである。
【０１１４】
なお、音声を記録する単独に撮影された画像の選択方法に関しては、後述する。ここで、「ＯＦＦ」を選択すると、単独に撮影された画像に音声記録は行わず、ＬＣＤモニタ１０の表示は図５（ａ）の「記録モード設定メニュー」に戻る。
【０１１５】
次に、音声を記録する単独に撮影された画像の選択について説明する。図６（ａ）〜（ｃ）はそれぞれ、「拡大画面選択」、「マルチ画面選択」、「撮影順番選択」に対応する音声記録画像選択画面であり、操作ボタンＡを操作することにより、ＬＣＤモニタ１０に表示される。
【０１１６】
まず、図６（ａ）に示すように「拡大画面選択」を選択した場合は、１枚目（１番最初）に撮影された画像が拡大表示される。具体的には、画像データがメモリカードに記録されている場合には、図２のメモリカードコントローラブロック１０４ｊが、メモリカードスロットル１２１を経由して、メモリカードから画像データをＳＤＲＡＭ１０３に読出す。画像データが内蔵メモリ１２０に記録されている場合は、内蔵メモリ１２０から、画像データをＳＤＲＡＭ１０３に読出す。
【０１１７】
次に、図３で説明したヘッダ部に記載されている画像データのポインタ情報に従い、画像データから１枚目に撮影された画像のみを、ＬＣＤモニタ１０に拡大表示する。そして、確定するときは、ＯＫボタンＳＷ１２を押下する。１枚目ではなく他の画像データに音声データを記録する場合には、右ボタンＳＷ８、又は左／画像確認ボタンＳＷ１１を押すことで、画像が撮影された順番で送り戻しされ、所望の画像データが表示されたら、ＯＫボタンＳＷ１２を押下し、固有の音声データを記録する画像データを選択する。
【０１１８】
次に、図６（ｂ）に示すように「マルチ画面選択」を選択した場合は、複数の画面データが合成されて一つとなった静止画がＬＣＤモニタ１０に一覧表示される。この例では６分割されているので、１枚目に撮影された画像から６枚目に撮影された画像までが最初に表示される。分割数が６でなくても良いことは言うまでもない。
【０１１９】
具体的には、画像データがメモリカードに記録されている場合には、図２のメモリカードコントローラブロック１０４ｊが、メモリカードスロットル１２１を経由して、メモリカードから画像データをＳＤＲＡＭ１０３に読出す。画像データが内蔵メモリ１２０に記録されている場合は、内蔵メモリ１２０から、画像データをＳＤＲＡＭ１０３に読出す。
【０１２０】
次に、図３で説明したヘッダ部に記載されている画像データのポインタ情報に従い、画像データから１枚目に撮影された画像データから６枚目に撮影された画像データまでを、ＬＣＤモニタ１０に分割表示する。上／ストロボボタンＳＷ７、下／マクロボタンＳＷ１０、右ボタンＳＷ８、左／画像確認ボタンＳＷ１１を押下することで、ユーザが所望する画像データを選択したことを識別しうる画像を囲むマーク（画像識別手段）Ｍが移動し、ＯＫボタンＳＷ１２を押下してユーザが所望の音声データを記録する画像データを選択すると、ＬＣＤモニタ１０に所望の画像データが表示される。
【０１２１】
また、６枚目以降を表示したいときは、画面の下端で下／マクロボタンＳＷ１０を押すと、７枚目に撮影された画像から１２枚目に撮影された画像データがべつの静止画として表示される。なお、前の静止画に戻るときは、画面の上端で上／ストロボボタンＳＷ７を押下する。
【０１２２】
そして、図６（ｃ）に示すように「撮影順番選択」を選択した場合は、撮影順番がＬＣＤモニタ１０に表示される。この例では、１枚目から６枚目がひとつの画面に表示されるが、この枚数でなくても良いことは言うまでもない。具体的には、静止画がメモリカードに記録されている場合には、図２のメモリカードコントローラブロック１０４ｊが、メモリカードスロットル１２１を経由して、メモリカードから静止画をＳＤＲＡＭ１０３に読み出す。また、ＬＣＤモニタ１０に表示する静止画が内蔵メモリ１２０に記録されている場合は、内蔵メモリ１２０から、画像データをＳＤＲＡＭ１０３に読み出すとともに、ＬＣＤモニタ１０に表示する。
【０１２３】
次に、図３（ａ）で説明したヘッダ部に記載されている単独画像記録枚数情報を取得する。操作ボタンＡの、上／ストロボボタンＳＷ７、下／マクロボタンＳＷ１０を押下することで、所望の画像データを選択したことをユーザが識別しうるカーソル（画像識別手段）Ｋが移動し、音声データを記録する画像データを選択する。また、画面の上端で上／ストロボボタンＳＷ７、又は画面の下端で下／マクロボタンＳＷ１０を押すことで、表示されていない画像を表示することが出来る。
【０１２４】
例えば、１枚目から６枚目の画像データが合成されて、その１つの静止画が画面に表示された状態で、画面の下端で下／マクロボタンＳＷ１０を押すと、次の静止画である７枚目から１２枚目の画像データが表示される。取得した単独画像記録枚数情報より多い枚数を表示しないことは言うまでもない。
【０１２５】
次に、音声記録開始操作と終了操作について説明する。
図７（ａ）は「拡大画面選択」における音声記録開始画面、図７（ｂ）はその音声記録中画面である。また、図７（ｃ）は「マルチ画面選択」における音声記録開始画面、図７（ｄ）はその音声記録中画面である。そして、図７（ｅ）は「撮影順番選択」における音声記録開始画面、図７（ｆ）はその音声記録中画面である。これらの画面はそれぞれＬＣＤモニタ１０に表示される。
【０１２６】
図７（ａ）、図７（ｃ）、図７（ｅ）のそれぞれの画面にて、レリーズシャッターボタンＳＷ１を押下することにより、音声記録が開始され、それぞれ図７（ｂ）、図７（ｄ）、図７（ｆ）に示す画面となる。音声記録を開始せずに終了したい場合は、メニューボタンＳＷ６を押下することで、図５（ａ）に表示した「記録モード設定メニュー」に戻る。
【０１２７】
音声記録は、具体的には、音声をマイク１１５ｃで集音して音声信号に変換し、マイクＡＭＰ１１５ｂで増幅した後、音声記録回路１１５ａでＡ／Ｄ変換され、音声データのデジタル信号としてＣＰＵブロック１０４ｃにて、デジタルスチルカメラプロセッサ１０４に取り込まれる。このとき、例えば、一定時間毎にサンプリングされた音声を上述のようにデジタルスチルカメラプロセッサ１０４に取り込んでもよい。
【０１２８】
その後、ＳＤＲＡＭ１０３にバッファリングされる。一方、画像データの合成された静止画もＳＤＲＡＭ１０３上に読み出され、ＲＯＭ１０８に格納されているプログラムによって、各々の画像データとその画像データに固有の音声データとが関連付けられる（画像・音声関連付けステップ）。
【０１２９】
記録終了後に、画像データをメモリカードから読み込んだ場合には、メモリカードコントローラブロック１０４ｊより、メモリカードスロットル１２１を経由して、メモリカードに書き込まれる。画像データを内蔵メモリ１２０から読み込んだ場合は、内蔵メモリ１２０に書き込まれる。そして終了するときは、再度レリーズシャッターボタンＳＷ１を押下する。
【０１３０】
次に、音声記録処理全般の動作を図８のフローチャートを用いて説明する。
なお、この例では、予め、別々に撮影された複数の画像データを合成（画像合成ステップ）してメモリカードまたは内蔵メモリ１２０に格納（画像記憶ステップ）されている静止画をＳＤＲＡＭ１０３に保持するとともに、ＬＣＤモニタ１０に表示している。
【０１３１】
まず、Ｓ１０１にて音声記録モードの判断を行った後、Ｓ１０２にて単独音声記録モードであるかを判定し、単独音声記録モードであれば、Ｓ１０３へ進んで音声記録画像選択処理を行う。この処理は、図６（ａ），（ｂ），（ｃ）の音声記録画像選択画面に相当するが、詳細の説明は、図９にて後述する。一方、単独音声記録モードでなければ処理を終了する。これは、図５（ｂ）に示した単独画像音声記録選択画面でＯＦＦを選択した場合である。
【０１３２】
次に、Ｓ１０４にて音声記録を開始するか判断する。この処理は、図７（ａ）、図７（ｃ）、図７（ｅ）に示す音声記録前に相当し、具体的には、レリーズシャッタボタンＳＷ１が押下されたか判断することにより行われる。押下されていなければ、Ｓ１０５へ進み、音声記録キャンセルか判断する。この処理は、図７（ａ）、図７（ｃ）、図７（ｅ）に示した音声記録前に相当し、具体的には、メニューボタンＳＷ６が押下されたか判断することにより行われる。押下されていなければ、Ｓ１０４へ戻り、押下されていれば、処理を終了する。前述したように、処理を終了すると、図５（ａ）に示した記録モード設定メニューを表示する。
【０１３３】
一方、レリーズシャッタボタンＳＷ１が押下されていればＳ１０６に進み、音声記録を開始する（録音ステップ）。この処理は、図７（ｂ）、図７（ｄ）、図７（ｆ）に示す音声記録中に相当する。音声記録の具体的な動作は、図７の説明で行った通りである。
【０１３４】
次に、Ｓ１０７にて音声記録停止判断を行う。具体的には、再びレリーズシャッタボタンＳＷ１が押下されたか判断する。レリーズシャッタボタンＳＷ１が押下されると、Ｓ１０９へ進む。一方、押下されていない場合は、Ｓ１０８へ進む。なお、この処理を行っている間も、音声記録は継続しており、図７（ｂ）、図７（ｄ）、図７（ｆ）の画面が表示されていることは言うまでもない。
【０１３５】
そして、Ｓ１０８にて音声記録時間が終了したか判断する。記録時間が終了していない場合は、Ｓ１０６へ戻る。終了した場合は、Ｓ１０９へ進む。尚、Ｓ１０７と同様に、この処理を行っている間も、音声記録は継続しており、図７（ｂ）、図７（ｄ）、図７（ｆ）の画面が表示されていることは言うまでもない。
【０１３６】
さらに、Ｓ１０９にて全部の画像データに音声記録が終了したか判断する。終了していなければ、Ｓ１１０へ進み、終了していれば、処理を終了する。処理を終了すると、図５（ａ）に示した「記録モード設定メニュー」が表示される。
一方Ｓ１１０では、音声を記録した画像データの次に撮影された画像データを表示してＳ１０４へ戻る。すなわち、この処理は、１つの静止画の複数の画像データに対して連続的に行われる。
【０１３７】
次に、Ｓ１０３における「音声記録画像選択処理」（表示態様選択ステップ）について図９のフローチャートを用いて詳述する。なおこの処理は、図６（ａ），（ｂ），（ｃ）の音声記録画像選択画面に相当する。
まず、Ｓ２０１にて拡大画面選択か判断する。拡大画面選択であれば、Ｓ２０２へ進んで１枚目の画像データをＬＣＤモニタ１０に拡大表示する。一方、拡大画面選択でなければ、後述するＳ２１１へ進む。
【０１３８】
次にＳ２０３にて、操作ボタンＡの、右ボタンＳＷ８、または左／画像確認ボタンＳＷ１１が押下されたか判断する。押下されていれば、Ｓ２０４へ進み、Ｓ２０３で押されたボタンに従い、次に表示する画像データを読み出して、Ｓ２０５にて画像データを拡大表示して、Ｓ２０６へ進む。なお、次に表示する画像データの読み出し、画像データの拡大表示の具体的な動作は、前述したとおりである。
一方、右ボタンＳＷ８、または左／画像確認ボタンＳＷ１１が押下されていない場合は、Ｓ２０６へ進む。
【０１３９】
なお、Ｓ２０１にて拡大画面選択でない場合には、Ｓ２１１にてマルチ画像選択かを判断し、マルチ画像選択であればＳ２１２へ進んで、１枚目の画像データにマーク（画像識別手段）ＭをＬＣＤモニタ１０に表示し、Ｓ２１３へ進む。一方、マルチ画像選択でなければ、Ｓ２２２へ進んで、画像データの情報を撮影順番で画像データの情報が一覧表示された画面で１枚目にカーソル（画像識別手段）Ｋを表示する。
【０１４０】
Ｓ２１３にて、操作ボタンＡである、上／ストロボボタンＳＷ７、下／マクロボタンＳＷ１０、右ボタンＳＷ８、左／画像確認ボタンＳＷ１１が押下されたか判断し、押下されていない場合は、Ｓ２０６へ進む。一方、押下されている場合は、Ｓ２１４へ進んで、Ｓ２１３で押されたボタンに従いマークを次の画像へ移動した後、Ｓ２０６へ進む。具体的な動作は、前述したとおりである。
【０１４１】
Ｓ２２２にてＬＣＤモニタ１０に撮影順番画面を表示し、撮影順番１枚目にカーソル（画像識別手段）Ｋを表示した後、Ｓ２２３にて、上／ストロボボタンＳＷ７、下／マクロボタンＳＷ１０が押下されたかを判断する。押下されていない場合は、Ｓ２０６へ進む。一方、押下されている場合はＳ２２４へ進み、Ｓ２２３で押されたボタンに従い、次の画像へカーソルＫを移動した後、Ｓ２０６へ進む。具体的な動作は、前述したとおりである。
【０１４２】
次に、Ｓ２０６以降のフローを説明する。
まず、ＯＫボタンＳＷ１２が押下されたか判断する。押下されていれば、処理を終了する。押下されていなければ、Ｓ２０７へ進み、キャンセルボタン、具体的には、メニューボタンＳＷ６が押下されたか判断する。押下されていなければ、Ｓ２０１へ戻る。押下されていれば、Ｓ２０８へ進んで、図５（ａ）に示した「記録モード設定メニュー」を表示して処理を終了する。
【０１４３】
次に、この発明の音声付画像再生装置の一例としての前述の例のディジタルカメラによる音声付画像再生方法について図１に基づいて説明する。なお、前述の例のディジタルカメラは、音声付画像記録装置の機能に加えて、音声付画像再生装置の機能を合わせ持っているものである。
【０１４４】
まず、モードダイヤルＳＷ２を再生の位置に合わせると、カメラの動作モードが再生モードとなり、図１０（ａ）に示すように、静止画となっている単独に撮影された複数の画像データがＬＣＤモニタ（画像表示手段）１０に分割表示される。この例では６分割されているので、１枚目に撮影された画像から６枚目に撮影された画像までが最初に表示される。分割数が６でなくても良いことは言うまでもない。
【０１４５】
具体的な動作としては、画像データがメモリカード（記憶手段）に記録されている場合には、図２のメモリカードコントローラブロック１０４ｊが、メモリカードスロットル１２１を経由して、メモリカードから画像データをＳＤＲＡＭ１０３に読み出す。画像データが内蔵メモリ（記憶手段）１２０に記録されている場合は、内蔵メモリ１２０から、画像データをＳＤＲＡＭ１０３に読み出す。
【０１４６】
次に、ＬＣＤモニタ１０に表示する表示態様を操作ボタンＡにより選択する（表示態様選択ステップ）。この例では、「マルチ画面選択」を選択する。すると、図３（ａ）で説明したヘッダ部に記載されている画像データのポインタ情報に従い、１つの静止画となっている１枚目に撮影された画像データから６枚目に撮影された画像データまでを、ＬＣＤモニタ１０に分割表示する。上／ストロボボタンＳＷ７、下／マクロボタンＳＷ１０、右ボタンＳＷ８、左／画像確認ボタンＳＷ１１を押下することで、画像を囲むマーク（画像識別手段）が移動する。
【０１４７】
その際、音声データが記録されている画像データを選択すると、ＬＣＤモニタ１０の上側の領域に、その画像データに固有の音声データが記録されていることを示す♪印（識別情報）が表示され、その画像データを選択することで音声を再生する画像データを選択する。
【０１４８】
ここで、ズームアップボタンＳＷ４を押下すと、図１０（ｂ）のように現在選択（マーク）されている画像データが拡大表示される。具体的な動作としては、画像データがメモリカードに記録されている場合には、図２のメモリカードコントローラブロック１０４ｊが、メモリカードスロットル１２１を経由して、メモリカードから画像データをＳＤＲＡＭ１０３に読み出す。画像データが内蔵メモリ１２０に記録されている場合は、内蔵メモリ１２０から、画像データをＳＤＲＡＭ１０３に読み出す。
【０１４９】
次に、図３（ａ）で説明したヘッダ部に記載されている画像データのポインタ情報に従い、静止画から選択（マーク）された画像データのみを、ＬＣＤモニタ１０に拡大表示する。他の画像を表示する場合は、右ボタンＳＷ８、又は左／画像確認ボタンＳＷ１１を押すことで、画像が撮影された順番で送り戻しされ、選択された画像が拡大表示される。また、拡大表示されている状態で、ズームアウトボタンＳＷ３を押下することで、分割表示画面になる。
【０１５０】
一方、再生モード中にメニューボタンＳＷ６を押下すると、図示されていない再生メニュー設定画面が表示され、設定メニューのひとつである「撮影順番選択」を選択すると、図１０（ｃ）に示すように、撮影順番がＬＣＤモニタ１０に表示される。この例では、１枚目から６枚目がひとつの画面に表示されるが、この枚数でなくても良いことは言うまでもない。
【０１５１】
具体的な動作としては、静止画がメモリカードに記録されている場合には、図２のメモリカードコントローラブロック１０４ｊが、メモリカードスロットル１２１を経由して、メモリカードから画像データをＳＤＲＡＭ１０３に読み出す。静止画が内蔵メモリ１２０に記録されている場合には、内蔵メモリ１２０から、静止画をＳＤＲＡＭ１０３に読み出す。
【０１５２】
次に、図３（ａ）で説明したヘッダ部に記載されている単独画像記録枚数情報を取得する。上／ストロボボタンＳＷ７、下／マクロボタンＳＷ１０を押下することで、撮影順番を指定するカーソルＫが移動し、音声データを再生する画像データを選択する。
【０１５３】
次に、音声再生開始操作と終了操作を説明する。
図１０（ａ）〜（ｃ）は、それぞれ「分割表示画面」、「拡大表示画面」、「撮影順番表示画面」の音声再生開始前の表示画面であり、図１０（ｄ）〜（ｆ）は、「分割表示画面」、「拡大表示画面」、「撮影順番選択」それぞれの音声再生中の画面である。
【０１５４】
いずれの場合も、操作ボタンＡで選択し、レリーズシャッタボタンＳＷ１を押下して確定する（表示態様選択ステップ）ことにより、音声再生が開始される（音声再生ステップ）。音声再生を途中で終了したい場合は、再度レリーズシャッタボタンＳＷ１を押下することで、音声再生を終了させ、図１０（ａ）〜（ｃ）の音声再生開始前の表示画面になる。音声再生は、具体的には、音声データがメモリカードに記録されている場合には、図２のメモリカードコントローラブロック１０４ｊが、メモリカードスロットル１２１を経由して、メモリカードから音声データをＳＤＲＡＭ１０３に読み出す。
【０１５５】
音声データが内蔵メモリ１２０に記録されている場合は、内蔵メモリ１２０から、音声データをＳＤＲＡＭ１０３に読み出す。次に、音声再生回路１１６ａで、Ｄ／Ａ変換され、オーディオＡＭＰ１１６ｂにより増幅され、スピーカ１１６ｃから可聴音声として出力される。また、音声データは、ＰＣカードインターファースやＵＳＢを介して外部装置に保存転送することができる。
【０１５６】
次に、音声付画像再生装置として、パーソナルコンピュータを用いた例を示す。図１１には、パーソナルコンピュータの構成ブロック図を示す。この発明の音声付画像再生装置としてのパーソナルコンピュータＰＣは、パソコン本体ＢＯのＣＰＵボードＣＢや記憶装置ＳＲ、音声再生ボードＳＢ、プログラムメモリＰＧＭ、モニタ（画像表示手段）ＭＯ、ＣＤ−ＲＯＭドライブＣＤ、キーボードＫＢ、マウスＭＳ、ＵＳＢデバイスＵＤなどから構成されている。
【０１５７】
ＣＰＵボードＣＢは、アプリケーションプログラムをプログラムメモリＰＧＭから読み出し、その指令に応じて処理を実行する。また、キーボードＫＢ、マウスＭＳからのユーザ操作の検出や、画像のモニタＭＯへの表示、ＵＳＢデバイスＵＤなどによって外部のデジタルカメラＤＣから画像データを読み込み、ハードディスクなどの記憶装置ＳＲへ保存を行う。
【０１５８】
本発明の音声付画像再生プログラムは、ＣＤ−ＲＯＭ（記録媒体）に格納されており、ＣＤ−ＲＯＭドライブＣＤによって読み込まれ、パーソナルコンピュータＰＣの記憶装置ＳＲに保存されるようになっている。記憶装置ＳＲに保存したプログラムは、プログラムメモリＰＧＭに入れられ実行される。
【０１５９】
また、外部のデジタルカメラＤＣやマイクＭＫから読み込んだ音声データを記憶装置ＳＲへ保存し、それを再生することができる。音声ファイルは、例えば一定時間ごとにサンプリングされた音声データや、そのサンプリング情報から構成されている。この音声ファイルを音声録音／再生ボードＳＢ、及びスピーカＳＰによって、人間の可聴音声に変換し、再生することができる。
【０１６０】
画像データや音声データを再生、表示するプログラムは、複数の画像データからなる静止画を図１２のように表示することができる。表示している静止画に関連付けられた音声データが、パーソナルコンピュータの記憶装置ＳＲ上にあるか検索し、各画像データの下に音声の有無状態（識別情報）を表示する。
【０１６１】
なお、表示中の画像データに音声データが記録されているかを前述の音声情報領域を読み出し、音声データが記録されているかをチェックして、同様に有無状態（識別情報）を表示するようにしてもよい。さらに、各々の画像データをクリックすることにより、音声ファイルや音声データを読み出して、音声再生ボードによって音声を再生するようにしても良い。
【０１６２】
次に、図１３をもとに上述の音声の有無の識別情報を記録する処理のフローチャートについて説明する。
Ｓ１にて、画像番号カウンタｉを１に設定してＳ２に進み、ｉ番目のコマ画像を表示する。そして、Ｓ３に進み、ｉコマ画像に対応した音声ファイル、または音声データがあるかどうかをチェックする。ＹｅｓであればＳ４に進み、ｉコマ画像の表示部分に〇を表示し、Ｓ６に進む。ＮｏであればＳ５に進み、音声有無表示部に×を表示し、Ｓ６に進む。
【０１６３】
Ｓ６では、ｉが最大画像のコマ番号以上（１６コマ画像であればｉが１６）になったかどうかチェックする。Ｙｅｓであれば、このフローを終了する。Ｎｏであれば、Ｓ７に進み、ｉに１を加えてＳ２に戻り、次のコマ画像の表示処理を続行する。
【０１６４】
なお、外部のデジタルカメラＤＣから読み込んだ、複数の画像データを１つの静止画へ集合させた音声付画像再生方法として、図１４にモニタＭＯ上に示すように、スライドショーを行うようにしてもよい。
この複数の画像データは、一般的には連写によって所定の時間間隔で、点線の矢印の順序に撮影されたものであり、これを自動スライドショーモードでは、撮影された時間間隔と同等の時間で、１コマずつモニタＭＯに自動で表示させ、動画のようなスライドショー表示を行う。また、マニュアル表示モードでは、スライドショー実行後にマウスＭＳをクリックすると、クリックごとに順々に次のコマ画像を表示する。
【０１６５】
また、この複数のコマ画像からなる静止画を展開した画像データの並びは、１コマごとにデータが区切られておらず、先頭から連続的に画像データが記憶されている。例えば、モニタＭＯ上に表示したデータを用いて説明すると、Ｘ方向に０からＸｍａｘまでの１ラインの画像データが、Ｙｍａｘライン分連続して並び記憶されている。しかし、Ｘ方向のコマ画像数、Ｙ方向のコマ画像数、１コマの画像サイズはあらかじめ決められているので、例えば、以下のような計算式で連続した画像データから１コマを抜き出し、分割して読み込むことができる。
【０１６６】
ただし、静止画上のデータは、一般的に圧縮されており、モニタに表示するためにＹＵＶデータに複合及び伸長し、表示できる画像データに変換する。また、本実施例のパーソナルコンピュータのモニタ表示では、Ｙ，Ｕ，ＶデータをさらにＲ，Ｇ，Ｂデータに変換して、図示しないモニタ表示用のＶＲＡＭにデータを入れ表示する。ここでは説明の簡略化のため、図１４で説明できるモニタ表示画像データに対する処理計算式について説明する。
【０１６７】
Ｘ方向のコマ画像数をＮＸｍａｘ、Ｙ方向のコマ画像数をＮＹｍａｘ
１コマ画像の幅をＸｄｉｖ、１コマ画像の高さをＹｄｉｖ
表示コマ番号（先頭コマ番号は０）をＮ
とすると、
Ｘ方向コマ画像座標Ｎｘ＝Ｎ／ＮＸｍａｘの余り
Ｙ方向コマ画像座標Ｎｙ＝Ｎ／ＮＹｍａｘの商
となり、Ｎコマ目の画像データの開始アドレスＡｄｂａｓｅは、
Ａｄｂａｓｅ＝（Ｎｘ×Ｘｄｉｖ）＋（Ｎｙ×Ｙｄｉｖ）×（Ｘｄｉｖ×ＮＸｍａｘ）となる。
【０１６８】
なお、ここでは、ＮＸｍａｘ＝４、ＮＹｍａｘ＝４、Ｘｄｉｖ＝５００、Ｙｄｉｖ＝３７６、Ｎ＝９としているので、
Ｎｘ＝１、Ｎｙ＝２、Ａｄｂａｓｅ＝１５０４５００となる。
１コマの画像を分割表示するには、このＡｄｂａｓｅをベースに、次の式で読み出しデータアドレスＡｄを計算して表示する。
Ａｄ＝Ａｄｂａｓｅ＋Ｙｄｏｔ×（Ｘｄｉｖ×ＮＸｍａｘ）＋Ｘｄｏｔ
【０１６９】
１コマ画像データ読み出し開始時はＸｄｏｔ、Ｙｄｏｔは０とする。画像ファイルのアドレスＡｄから、画像データを１データ読み出してモニタＭＯに表示し、Ｘｄｏｔを１増加することを繰り返す。ＸｄｏｔがＸｄｉｖに到達したらＹｄｏｔを1増加してＸｄｏｔを０とする。これをＹｄｏｔがＹｄｉｖに到達後、ＸｄｏｔがＸｄｉｖに到達するまで繰り返すと、１コマの画像データを分割してモニタＭＯに表示することができる。
【０１７０】
また、１コマ画像のモニタＭＯ表示を２倍に拡大表示するには、Ｘ方向、Ｙ方向とも、モニタＭＯ表示ＶＲＡＭデータに対して、読み出したデータを２画素分または、同じデータを書き込めば良い。
１コマ分の画像を表示したら、対応する音声データが記憶装置ＳＲに図３（ｂ）、または図４に示した静止画上にあるかどうか検索する。検索した音声データが見つかれば、音声再生ボードによって音声を再生する。
【０１７１】
音声ファイルの検索では、このような規則に合致した音声ファイルを検索することにより、関係の無いファイルを音声再生することのないようにしている。
また、本発明のアプリケーションプログラムが記憶されているＣＤ−ＲＯＭには、あらかじめ複数コマから構成される模範となるスポーツフォームの連写画像と、コマごとのフォームに対する指導内容が録音された音声ファイルをサンプルとして持っており、これを見ながら音声を聞くことにより練習することができる。
【０１７２】
次に、この発明の音声付画像再生方法の一例としてのスライドショー表示のフローチャートを図１５に示す。まず、Ｓ１にて例えばユーザのマウスやキー操作により、スライドショーの実行操作が行われるまで待機する。実行操作を検出したら、Ｓ２に進み、コマ画像表示の間隔設定（自動スライドショーの場合は前述の撮影間隔に近い時間の設定）や、マニュアル、自動などのスライドショー表示の表示条件設定をする（表示態様選択ステップ）。
【０１７３】
次にＳ３に進み、現在の表示コマ番号ｉに０をセットし、Ｓ４に進む。Ｓ４では、先頭からｉ番目のコマ画像を表示しＳ５に進む。Ｓ５では、前述のような規則に合致し、なおかつ表１に対応したｉコマ画像に鍛錬付けられた音声データがあるかどうかを検索し、見つかればＳ６に進み、見つからなければＳ７にジャンプする。
【０１７４】
Ｓ６では、見つかった音声を再生する（音声再生ステップ）。次にＳ７に進み、ｉと最大コマ画像数とを比較し、ｉが小さければＳ８に進み、等しいかｉが大きければこのフローを終了する。Ｓ８では、ｉを１増加させＳ９に進む。Ｓ９では、マニュアル表示モードかどうかをチェックする。マニュアル表示モードであれば、Ｓ１１に進み、マウスがクリックされるまで待つ。
【０１７５】
マウスがクリックされればＳ４に戻る。Ｓ９でマニュアル表示モードではなく自動表示モードであれば、Ｓ１０に進み、現在設定されている自動スライドショーの表示間隔時間ウエイトし、Ｓ４に戻る。
また、音声データが画像ファイルにいっしょにデータとして記憶されている形態もある。この場合、以下のようにコマ画像と音声の対応テーブルである図３（ｂ）をあらかじめ決めておき、前述のフローチャートのＳ５で対応部分に音声データがあるかどうかをチェックし、Ｓ６で図３（ｂ）を利用して対応する音声を読み出して再生するようにする。
【０１７６】
また、このＣＰＵは、内蔵メモリに保存した画像を、前述したようなスライドショー表示するプログラムを持っている。一方、前述の例のデジタルカメラにも、不揮発メモリに、あらかじめ複数コマから構成される模範となるスポーツフォームの連写画像と、コマごとのフォームに対する指導内容が録音された音声ファイルをサンプルとして持っており、これを見ながら音声を聞くことにより練習することができる。
【０１７７】
また、顧客からスポーツのフォームの連写画像を送付してもらい、受けとったスポーツフォーム画像に対して、プロがアフレコでアドバイスを録音して、顧客に戻すようにしたシステムを作り、顧客から料金をとってビジネスにしても良い。
【０１７８】
図１６は、このようなサービスシステムの構成図である。ユーザは、例えばゴルフスイングを連写撮影して、その画像をセンターに送付する。この送付するための流通経路は、例えば、ＰＣカードやＳＤカードなどのメモリカードに画像データファイルを記憶させ、宅配便で送っても良いし、画像データファイルをインターネット経由で、センターのサーバにアップロードしても良い。
【０１７９】
また、サービスに対する料金の支払い方法も、銀行決済やインターネットによる電子決済が考えられる。料金は、これらの方法によってユーザからセンターに渡される。センターでは、画像と料金を受け取ったら、ゴルフのプロに、画像に対する音声データをアフレコで入れてもらい、音声データファイルを作成する
【０１８０】
また、プロには報酬として、所定の料金を支払う。センターは、画像データファイルと作成した音声データファイルを、今度は顧客に戻す。この経路は、前述と同様に、宅配便でも、画像データファイル、音声データファイルをインターネット経由で送っても良い。
【０１８１】
このようなシステムを構築すれば、ユーザは自宅にいながらにしてプロによるゴルフレッスンが受けられる。また、このシステムは、特に大掛かりな装置が必要ないため、少ない経費で儲かるビジネスをすることができる。
【０１８２】
なお、上述の例では、音声付画像記録装置および音声付画像再生装置の例について説明したが、この発明はこれに限定されるものではなく、音声付画像記録方法、音声付画像再生方法、ならびに、音声付画像記録プログラム、音声付画像再生プログラム、さらに、音声付画像記録プログラムを格納した記録媒体、音声付画像再生プログラムを格納した記録媒体に適用しうる。
【図面の簡単な説明】
【０１８３】
【図１】この発明の一実施形態としてのディジタルカメラの外観図であり、（ａ）は上面図、（ｂ）は正面図、（ｃ）は背面図である。
【図２】図１のディジタルカメラの電気ブロック図である。
【図３】図１のディジタルカメラの記憶部または記録媒体に格納された撮影画像と音声データの（ａ）は静止画の概略構造図、（ｂ）は（ａ）の一例である。
【図４】図３（ｂ）の別の例である。
【図５】（ａ）は単独画像音声記録選択設定画面の一例、（ｂ）は単独画像音声記録を選択したときの表示例である。
【図６】音声記録画像選択画面における、（ａ）は拡大画面選択の一例、（ｂ）はマルチ画面選択の一例、（ｃ）は撮影順番選択の一例である。
【図７】音声記録時の画面表示の例であり、（ａ）は拡大画面選択の音声記録前、（ｂ）はその音声記録中、（ｃ）はマルチ画面選択の音声記録前、（ｄ）はその音声記録中、（ｅ）は撮影順番選択の音声記録前、（ｆ）はその音声記録中である。
【図８】音声記録時の処理全般を示すフローチャートである。
【図９】音声記録時の画像選択処理を示すフローチャートである。
【図１０】画像・音声再生時の表示画面の例であり、（ａ）は分割表示画面の音声再生前、（ｂ）はその音声再生中、（ｃ）は拡大表示画面の音声再生前、（ｄ）はその音声再生中、（ｅ）は撮影順番表示の音声再生前、（ｆ）はその音声再生中である。
【図１１】本発明の音声付画像再生装置の一例としてのパーソナルコンピュータの構成ブロック図である。
【図１２】音声付画像ファイルの一例である。
【図１３】図１２のファイルを再生処理するフローチャートである。
【図１４】音声付画像ファイルを図１３のモニタ上で再生表示する例である。
【図１５】図１４の音声付画像ファイルをスライドショー表示するためのフローチャートである。
【図１６】本発明の音声付画像記録装置と音声付画像再生装置を適用したサービスシステムの一例を示した図である。
【符号の説明】
【０１８４】
１    サブＬＣＤ
２    ＳＤカード／電池蓋
３    ストロボ発光部
４    光学ファインダ
５    測距ユニット
６    リモコン受光部
７    鏡銅ユニット（撮像手段）
８    ＡＦ  ＬＥＤ
９    ストロボＬＥＤ
１０    ＬＣＤモニタ（画像表示手段）
１３    電源スイッチ
７１    ＺＯＯＭ光学系
７１ａ    ＺＯＯＭレンズ
７１ｂ    ＺＯＯＭモータ
７２    ＦＯＣＵＳ光学系
７２ａ    ＦＯＣＵＳレンズ
７２ｂ    ＦＯＣＵＳモータ
７３    絞りユニット
７３ａ    絞り
７３ｂ    絞りモータ
７４    メカシャッタユニット
７４ａ    メカシャッタ
７４ｂ    メカシャッタモータ
７５    モータドライバ
１０１    ＣＣＤ
１０２    Ｆ／Ｅ−ＩＣ（撮像手段）
１０２ａ    ＣＤＳ
１０２ｂ    ＡＤＣ
１０２ｃ    Ａ／Ｄ
１０２ｄ    ＴＧ
１０３    ＳＤＲＡＭ（保持手段）
１０４    ディジタルスチルカメラプロセッサ
１０４ａ    ＣＣＤ１信号ブロック
１０４ｂ    ＣＣＤ２信号ブロック
１０４ｃ    ＣＰＵブロック
１０４ｄ    Ｌｏｃａｌ  ＳＲＡＭ
１０４ｅ    ＵＳＢブロック
１０４ｆ    シリアルブロック
１０４ｇ    ＪＰＥＧ  ＣＯＤＥＣブロック
１０４ｈ    ＲＥＳＩＺＥブロック
１０４ｉ    ＴＶ信号表示ブロック
１０４ｊ    メモリカードコントローラブロック
１０７    ＲＡＭ
１０８    ＲＯＭ
１０９    ＳＵＢ−ＣＰＵ
１１１    ＬＣＤドライバ
１１３    ブザー
１１４    ストロボ回路
１１５ａ    音声記録回路（録音手段）
１１５ｂ    マイクＡＭＰ
１１５ｃ    マイク
１１６ａ    音声再生回路
１１６ｂ    オーディオＡＭＰ
１１６ｃ    スピーカ
１１７    ＬＣＤドライバ
１１８    ビデオＡＭＰ
１１９    ビデオジャック
１２０    内蔵メモリ（記憶手段）
１２１    メモリカードスロットル
１２２    ＵＳＢコネクタ
１２３ａ    シリアルドライバ回路
１２３ｂ    ＲＳ−２３２Ｃコネクタ
Ａ    操作ボタン（表示態様選択手段）
Ｂ    カメラ本体
ＢＯ    本体
Ｂ１    正面
Ｂ２    上面
Ｂ３    背面
Ｃ    ズームボタン
ＣＢ    ＣＰＵボード
ＣＤ    ＣＤ−ＲＯＭドライブ
ＤＣ    ディジタルカメラ（音声付画像記録装置）
Ｋ    カーソル（画像識別手段）
ＫＢ    キーボード
Ｍ    マーク（画像識別手段）
ＭＫ    マイク
ＭＯ    モニタ（画像表示手段）
ＭＳ    マウス
ＰＣ    パーソナルコンピュータ（音声付画像再生装置）
ＰＧＭ    プログラムメモリ
ＳＢ    音声録音再生ボード
ＳＰ    スピーカ
ＳＲ    記憶装置（記憶手段）
ＳＷ１    レリーズシャッタ
ＳＷ２    モードダイアル
ＳＷ３    ズームアウトボタン
ＳＷ４    ズームインボタン
ＳＷ５    セルフタイマ／削除ボタン
ＳＷ６    メニューボタン
ＳＷ７    上／ストロボボタン
ＳＷ８    右ボタン
ＳＷ９    ディスプレイボタン
ＳＷ１０    下／マクロボタン
ＳＷ１１    左／画像確認ボタン
ＳＷ１２    ＯＫボタン
ＵＤ    ＵＳＢデバイス
【図１】
2005064637.tif 000003
【図２】
2005064637.tif 000004
【図３】
2005064637.tif 000005
【図４】
2005064637.tif 000006
【図５】
2005064637.tif 000007
【図６】
2005064637.tif 000008
【図７】
2005064637.tif 000009
【図８】
2005064637.tif 000010
【図９】
2005064637.tif 000011
【図１０】
2005064637.tif 000012
【図１１】
2005064637.tif 000013
【図１２】
2005064637.tif 000014
【図１３】
2005064637.tif 000015
【図１４】
2005064637.tif 000016
【図１５】
2005064637.tif 000017
【図１６】
2005064637.tif 000018